(57)【特許請求の範囲】
【請求項１】
電子制御ユニットが収容されるユニット収納室が形成された収納箱であって、
前記ユニット収納室の内側を通過すると共に前記電子制御ユニットを収容する際の入り口となる収容口から引き出された電線、または、前記電線の一端に接続されたコネクタ、を引っ掛ける掛止部が前記ユニット収納室を囲む周囲の部材の外側表面に形成された、
収納箱。
【請求項２】
前記掛止部が、前記ユニット収納室を画成する側壁の外側表面に形成されている、
請求項１に記載の収納箱。
【請求項３】
前記掛止部が、前記側壁から外側に向かって突設された突起である、
請求項２に記載の収納箱。
【請求項４】
前記突起に前記電線を束ねるバンドの一部が引っ掛けられる、
請求項３に記載の収納箱。
【請求項５】
請求項１〜請求項４のいずれか一項に記載の収納箱が設けられた、
電気接続箱。
【発明の詳細な説明】
【技術分野】
【０００１】
本発明は、自動車等に搭載されて、電子制御ユニットを収納するユニット収納室を備えた収納箱および電気接続箱に関するものである。
【背景技術】
【０００２】
従来から、電子制御部品等を含む電子制御ユニットを収容したユニット収納室を持つタイプの電気接続箱が、提案されている（例えば、特許文献１参照）。この電気接続箱は、電気制御ユニットを収容するユニット収納室のほかに、その電子制御ユニットに接続される多数の電線（ハーネス）、コネクタの収納室を有し、これらをコンパクトに纏めて車室内に装着される。そして、この電子制御ユニットがユニット収納室に収容するタイミングとしては、電気メーカや電線配索業者によって電線やコネクタ等が予め配置された電気接続箱を用意しておき、その後、その電気接続箱のユニット収納室内に自動車メーカ等が後付けによって収容している。
【先行技術文献】
【特許文献】
【０００３】
【特許文献１】特開２００９−１００５３３号公報
【発明の概要】
【発明が解決しようとする課題】
【０００４】
上述した従来の電気接続箱は、解決すべき以下の問題を有している。
即ち、自動車メーカ等は用意した電子制御ユニットを、前記電気接続箱のユニット収納室に配索された電線端のコネクタに接続し、さらにこれをユニット収納室内に収めるという作業が極めて面倒である。例えば、作業者は、前記ユニット収納室内の底部付近に設置されている複数の前記電線およびこの電線端のコネクタをそのユニット収納室内に一方の手の指を挿し込んで掴み、ユニット収納室の開口部上方へ持ち上げ、その把持している電線端のコネクタを、もう一方の手で支えている電子制御ユニット背面にある複数の端子に対しそれぞれ接続（嵌合）する。この場合に、前記電線およびコネクタにはこれをユニット収納室内に引き戻そうとする力が作用しているため、比較的重い電子制御ユニットを支える手が震えることも相まって、前記コネクタと端子の前記接続作業をスムースに行い難く、作業者の作業負担が大きなものとなっていた。
【０００５】
本発明は、上述した事情に鑑みてなされたものであり、その目的は、電子制御ユニットに対するコネクタの接続作業において、前記ユニット収納室内からユニット収納室の開口部上方に電線付きコネクタを持ち上げることなく、そのコネクタを電子制御ユニットの前記各端子に容易かつ迅速に接続（嵌合）可能にし、以って作業者の作業負担を大幅に軽減できる収納箱および電気接続箱を提供することにある。
【課題を解決するための手段】
【０００６】
前述した目的を達成するために、本発明に係る収納箱は、下記（１）〜（４）を特徴としている。
（１）  電子制御ユニットが収容されるユニット収納室が形成された収納箱であって、
前記ユニット収納室の内側を通過すると共に前記電子制御ユニットを収容する際の入り口となる収容口から引き出された電線、または、前記電線の一端に接続されたコネクタ、を引っ掛ける掛止部が前記ユニット収納室を囲む周囲の部材の外側表面に形成された、
こと。
（２）  上記（１）の構成の収納箱であって、
前記掛止部が、前記ユニット収納室を画成する側壁の外側表面に形成されている、
こと。
（３）  上記（２）の構成の収納箱であって、
前記掛止部が、前記側壁から外側に向かって突設された突起である、
こと。
（４）  上記（３）の構成の収納箱であって、
前記突起に前記電線を束ねるバンドの一部が引っ掛けられる、
こと。
【０００７】
また、本発明に係る電気接続箱は、下記（５）を特徴としている。
（５）  上記（１）から（４）の構成のいずれか一つの収納箱が設けられた、
こと。
【０００８】
上記（１）の構成の収納箱によれば、コネクタを電子制御ユニットに嵌め込む際、電線またはコネクタを簡単に手に取ることができるため、その作業の負担が軽減される。更に、ユニット収納室とコネクタとの距離が短くなるため、作業の負担が軽減される。加えて、掛止部を配置する位置に関し、設計上の自由度が高まる。
上記（２）の構成の収納箱によれば、コネクタを電子制御ユニットに嵌め込む際、電線またはコネクタを簡単に手に取り易く、且つ、ユニット収納室とコネクタとの距離が最短となる。
上記（３）の構成の収納箱によれば、掛止部を設けるための設計変更が軽微で済む。
上記（４）の構成の収納箱によれば、掛止部への引っ掛かりが不用意に解けてしまうことを防止することができる（輸送中などに振動が加わっても、引っ掛かりが解け難い。）
上記（５）の構成の電気接続箱によれば、コネクタを電子制御ユニットに嵌め込む際、電線またはコネクタを簡単に手に取ることができるため、その作業の負担が軽減され、ユニット収納室とコネクタとの距離が短くなるため、作業の負担が軽減される。また、掛止部を配置する位置に関し、設計上の自由度が高まり、コネクタを電子制御ユニットに嵌め込む際、電線またはコネクタを簡単に手に取り易く、かつ、ユニット収納室とコネクタとの距離が最短となる。また、掛止部を設けるための設計変更が軽微で済むほか、掛止部への引っ掛かりが不用意に解けてしまうことを防止することができる。
【発明の効果】
【０００９】
本発明によれば、ユニット収納室内の電線およびこの電線端のコネクタを、ユニット収納室の開口部上方において簡単に手に取ることができ、電子制御ユニットの各端子に対する複数コネクタの接続作業の負担を軽減できる。従って、電子制御ユニットのユニット収納室内への設置作業を円滑かつ迅速に進めることができる。
【００１０】
以上、本発明について簡潔に説明した。更に、以下に説明される発明を実施するための形態を添付の図面を参照して通読することにより、本発明の詳細は更に明確化されるであろう。
【図面の簡単な説明】
【００１１】
【図１】本発明の実施形態にかかる電気接続箱（第２のロアー部材を除く。）を示す斜視図である。
【図２】本発明の実施形態にかかる電気接続箱の分解斜視図である。
【図３】図１に示す電気接続箱を方向を変えて見た分解斜視図である。
【図４】本発明の実施形態にかかる電気接続箱のフレームの正面図である。
【図５】本発明の実施形態にかかる電気接続箱のフレームの平面図である。
【図６】本発明の実施形態にかかる電気接続箱のフレームを斜め下方から見た斜視図である。
【図７】本発明の実施形態にかかる電気接続箱の第１のロアー部材の正面図である。
【図８】本発明の実施形態にかかる電気接続箱の第１のロアー部材の平面図である。
【図９】本発明の実施形態にかかる電気接続箱の第１のロアー部材の斜視図である。
【図１０】図７に示す第１のロアー部材を方向を変えて見た斜視図である。
【図１１】本発明の実施形態にかかる電気接続箱の第２のロアー部材の正面図である。
【図１２】本発明の実施形態にかかる電気接続箱の第２のロアー部材の平面図である。
【図１３】本発明の実施形態にかかる電気接続箱のアッパカバーの正面図である。
【図１４】本発明の実施形態にかかる電気接続箱のアッパカバーの下面図である。
【図１５】本発明の実施形態にかかる電気接続箱のアッパカバーを斜め下方から見た斜視図である。
【図１６】図１に示す電気接続箱からアッパカバーを取り外した状態の斜視図である。
【図１７】ユニット収納室内に出し入れされる電子制御ユニットの収容過程を示す説明図であり、図１７（ａ）〜図１７（ｃ）はそれぞれ、その一過程を示す図である。
【図１８】ユニット収納室内から引き上げたコネクタ付き電線をフレームの掛止部に仮係止した状態を示す斜視図である。
【図１９】フレームに設けられる掛止部の他の実施形態を示す斜視図である。
【図２０】フレームに設けられる掛止部のさらに他の実施形態を示す斜視図である。
【図２１】アッパカバーに設けられる係止部の実施形態を示す斜視図である。
【発明を実施するための形態】
【００１２】
以下、本発明の一実施形態にかかる収納箱および電気接続箱を、図１乃至図１８を参照して説明する。本実施形態にかかる収納箱および電気接続箱は、電子制御ユニットが収容されるユニット収納室が形成された収納箱であって、該ユニット収納室の内側を通過し、前記電子制御ユニットを収容する際の入り口となる収容口から引き出された電線、または該電線の一端に接続されたコネクタを引っ掛ける掛止部が形成された構成である。
【００１３】
本実施形態の電気接続箱Ａは、図１〜図３に示すように、収納箱であるフレーム１１と、第１のロアー部材１２と、第２のロアー部材１３と、ベース部材１４と、アッパカバー１５とを備えて構成される。これらのフレーム（収納箱）１１、第１のロアー部材１２、第２のロアー部材１３、ベース部材１４、アッパカバー１５は耐熱性、絶縁性、硬質の例えば合成樹脂を素材として、あるいは金属材料を併用して所定の形状、サイズに形成され、後述のような連結手段（係止部、被係止部）を用いて一体結合され、電気接続箱Ａが形成される。これらのうち、フレーム１１は、図４〜図６に示すように、全体として上下方向短めで環状体をなし、この環状体を構成する側壁１６、１７、１８、１９の外側面にはサイズや形状が同一または異なる複数個の被係止部１１ａが一体に設けられている。
【００１４】
ここで、側壁１６、１９は外方に向かって少し湾曲するような形態をなし、側壁１７は平らで、側壁１８は全体として大きくＬ字状に湾曲し、これらが環状に繋がっている。側壁１７は対向する側壁１９の高さに比べて、図４に示すように、下方に長めに垂下延設され、この延設部１７ａを含む側壁１７との間に、ユニット収納室２０を画成する断面コ字状（または断面矩形状）の隔壁２１が側壁１７に連設されている。この隔壁２１はシールド効果がある金属板で構成することも可能である。また、前記環状体を構成する側壁１６、１８、１９の内側面には、サイズや形状が異なる複数の係止部１１ｂが一体に突設されている。
【００１５】
フレーム１１の側壁１６〜１９の内側面に設けられた係止部１１ｂおよび隔壁２１の外側面に設けられた係止部２１ａは、前記ベース部材１４の外側面に設けられた係止突起（被係止部）１４ａに係止されて、ベース部材１４をフレーム１１に保持する。また、フレーム１１の側壁１６〜１９の外側面に設けられた被係止部１１ａは、第１のロアー部材１２および第２のロアー部材１３に設けられた後述の各係止突起１２ａ、１３ａにそれぞれ係止されて、フレーム１１に第１のロアー部材１２および第２のロアー部材１３を保持する。
【００１６】
側壁１６の下部には後述の電線（ハーネス）導入用の切欠２２が形成されている。さらに、隔壁２１の下部にもフレーム１１内からユニット収納室２０内にコネクタ付き電線を導入する切欠２４が形成されている。また、側壁１８の角部には、後述のように、コネクタを取り付けた電線またはそのコネクタを掛止めする掛止部２５が突設されている。
【００１７】
側壁１８上部および側壁１９上部の一部の外側面には、このフレーム１１の上部開口を塞ぐアッパカバー１５の下端縁を支承するリブ２６が一体に突設されている。側壁１８の内側には、フレーム１１内に収納される電線に接続されたコネクタを装着するためのコネクタ収納枠２７、２８が設けられている。
【００１８】
前記第１のロアー部材１２は、図７〜図１０に示すように、底部２９がＶ字状に凹んだ形状の有底型容器をなし、ヘの字状に曲がった側壁３０および平らな側壁３１〜３３を持つ。そして、これらの側壁３０〜３３の外側面にはこれらの上端から同一距離の位置にリブ３４が突設されている。このリブ３４は、この第１のロアー部材１２を下部に取り付ける前記フレーム１１の側壁１６、１７の下端を支承するように機能する。このリブ３４に沿った側壁３０〜３２の所定位置には、前記係止突起１２ａが一体に設けられている。この係止突起１２ａは前記フレーム１１上の複数の被係止部１１ａに対応する部位に設けられ、フレーム１１と第１のロアー部材１２との結合時に相互に嵌合される。
【００１９】
さらに、側壁３３には上端に開口する大きめの切欠３５が形成され、この切欠３５の左右部位に大小２つの被係止部１２ｂが一体に設けられている。前記切欠３５は、この第１のロアー部材１２に連設される第２のロアー部材１３内を通じて第１のロアー部材１２内に導入されるコネクタ付きの電線（ハーネス）を、図１７（ａ）〜図１７（ｃ）に示すようにガイドするように機能する。
【００２０】
前記被係止部１２ｂは第２のロアー部材１３の側方開放端の下部に、図１１および図１２に示すように突設された係止突起１３ｂに対応する部位に設けられ、第１のロアー部材１２に第２のロアー部材１３を連結する際に、第１のロアー部材１２の各被係止部１２ｂに、第２のロアー部材１３に突設された係止突起１３ｂが嵌合接続される。なお、符号３６は、側壁３１の外側面に、前記リブ３４に連続するように縦方向に突設された複数本の補強リブである。
【００２１】
また、第１のロアー部材１２における側壁３３の上部外側面には、起立片３４ａが前記リブ３４の外側縁から立ち上がるように連設されている。この起立片３４ａは側壁３３に撓みに対する強度を付与し、フレーム１１内の隔壁２１から受ける外力に抗するように機能する。このため、隔壁２１が撓むことによって後述の電子制御ユニットのユニット収納室２０内への収納作業が妨げられることを回避できる。
【００２２】
このように本実施形態では、ロアー部材を第１のロアー部材１２と第２のロアー部材１３とに２分割して、第１のロアー部材１２はフレーム１１内のユニット収納室２０内に通じて、このユニット収納室２０を除くフレーム１１内および第２のロアー部材１３内に対して遮断した空間を形成している。これにより、ユニット収納室２０の内部を外部から熱的に遮蔽または分離でき、さらに防水性、強度を高めることができる。この結果、このユニット収納室２０内に収容される電子制御ユニットの動作の安定性、信頼性を確保することができる。この場合において、フレーム１１内の隔壁２１の下端縁が第１のロアー部材１２の側壁３３と起立片３４ａとの間のリブ３４上に支持されるため、その隔壁２１の安定的な支持並びに水平方向への撓み変形の防止を図ることができる。
【００２３】
図１１および図１２は、前述の係止突起１３ｂおよび係止突起１３ａを有する第２のロアー部材１３を示す。この第２のロアー部材１３は第１のロアー部材１２との結合方向および上方が開放された有底型の容器であり、側壁３７、この側壁３７とともに平面視で略Ｌ字状をなす側壁３８と、開口３９と、円弧状の側壁４０と、底部４１とを有する。ここで、各係止突起１３ｂはこれに隣接配置される第１のロアー部材１２の被係止部１２ｂに係止可能であり、係止突起１３ａはフレーム１１の外側面にある前記被係止部１１ａに係止可能になっている。なお、前記側壁３７、３８、４０および底部４１は複数箇所で互いに折り曲げ形状とされて、これらの補強が図られている。
【００２４】
前記ベース部材１４は多数のコネクタ、ヒューズ、リレーなど、主に電気部品を装着した板状のブロック体であり、このブロック体の外側面には、前述のような複数個の被係止部１４ａが一体に設けられている。このベース部材１４はユニット収納室２０を除くフレーム１１内に収納可能なサイズおよび形状をなし、このベース部材１４の前記被係止部１４ａがフレーム１１内面の前記係止部１１ｂに嵌合可能になっている。なお、ブロック体前面に位置する被係止部１４ａは前記隔壁２１の係止部２１ａに係止可能となっている。
【００２５】
図１３〜図１５は、前記アッパカバー１５を示し、これがフレーム１１の上部開口を覆うように構成されている。このアッパカバー１５は、天部４２と、この天部４２の周囲に連設された側壁４３〜４６とを備える。これらのうち天部４２および側壁４４は略平らに形成されているが、側壁４３〜４６は平面視で前記フレーム１１の側壁１６〜１９に略合致する形状およびサイズに形成されている。側壁４５は全体として平面視で略Ｌ字状をなし、側壁４３、４４、４６とともに環状に繋がっている。
【００２６】
側壁４３および側壁４５の一部には外方に突出するように各一の係止突起１５ａが設けられている。これらの係止突起１５ａは前記フレーム１１の側壁１６および側壁１８に設けられた各一の被係止部１１ａの対応位置に設けられている。従って、フレーム１１の上部にアッパカバー１５を被せたとき、係止突起１５ａが被係止部１１ａに対し係合可能になる。
【００２７】
また、このアッパカバー１５において側壁４３〜４６の内側面には、天部４２から同一距離の部位に段部４７が連続するように形成され、この段部４７にフレーム１１の各側壁１６〜１９の上縁が受け入れ可能になっている。つまり、アッパカバー１５は、その段部４７が側壁１６〜１９の上縁に支承されることで、フレーム１１上に安定的に装着される。また、側壁４４およびこの側壁４４が側壁４５に連続する部分の下部に、延長壁４８が垂下延設されている。
【００２８】
さらに、アッパカバー１５の内側面には側壁４４とともに矩形の空間を画成する略コ字状の隔壁４９が設けられている。この隔壁４９は平面視でフレーム１１に設けられた隔壁２１とサイズおよび形状が合致するものであり、フレーム１１にアッパカバー１５を被せたとき、フレーム１１の隔壁２１の上端縁にアッパカバー１５の隔壁４９の下端縁が密接する。このため、隔壁４９は天部４２とともにフレーム１１のユニット収納室２０内を上部から密閉する空間を形成する。従って、ユニット収納室２０内をこれの外部との間で熱的に遮蔽するとともに、隔壁４９がユニット収納室２０を形成する前記隔壁２１上に接合されることで、天部４２がこれらに支持され、従って不用意に天部が撓む（凹む）ことを回避できる。なお、符号５０は、側壁４３〜４６の内面に設けられた複数本の補強リブである。
【００２９】
かかる構成のフレーム１１、第１のロアー部材１２、第２のロアー部材１３、ベース部材１４、アッパカバー１５は、次のようにして組み付けられる。まず、フレーム１１の下部に第１のロアー部材１２を配置してフレーム１１の側壁１６、１７および隔壁２１の下端縁を、第１のロアー部材１２のリブ３４上に支承させる。そして、第１のロアー部材１２の外側面に設けられた係止突起１２ａをフレーム１１下部の被係止部１１ａに挿し込む。このとき隔壁２１の下端縁は、リブ３４上にあって、しかも起立片３４ａと側壁３３との間に介在される。このため、フレーム１１内に後述のように束ねられた多数の電線から隔壁２１に作用する圧力が、ユニット収納室２０内に及ぶことを回避できる。つまり、隔壁２１の撓み変形を防止することができる。
【００３０】
続いて、第２のロアー部材１３の開放部側を第１のロアー部材１２の側壁３３側に対向させるとともに、その開放部側の大小２つの係止突起１３ｂを第１のロアー部材１２の被係止部１２ｂ内にこれらの下方から差し込む。また、これらの係止突起１３ｂの被係止部１２ｂへの係合操作に前後して、第２のロアー部材１３の外側面にある各係止突起１３ａをこれに対向する位置にあるフレーム１１の外側面にある被係止部１１ａに下方から挿し込んで係止する。これによりフレーム１１、第１のロアー部材１２および第２のロアー部材１３が連結される。
【００３１】
次に、フレーム１１内の上部に上方からベース部材１４が挿入する。このときベース部材１４の外側面に設けられた係止突起（被係止部）１４ａをフレーム１１の内周面に設けられた係止部１１ｂに係止する。これによりベース部材１４はフレーム１１内の上部に安定保持される。そして、このベース部材１４を収容したフレーム１１上にアッパカバー１５を被せる。なお、このベース部材１４下部のフレーム１１内には、そのベース部材１４に装着されたリレーやヒューズに接続される多数本の電線が配置される。このときアッパカバー１５の各一の係止突起１５ａが、これらに対応する位置に臨むフレーム１１の外周面にある各一の被係止部１１ａに係止される。これにより、アッパカバー１５はフレーム１１にガタツキなく装着され、最終的に図１に示すような電気接続箱Ａが形成される。
【００３２】
この場合において、フレーム１１内に隔壁２１によって画成されるユニット収納室２０内は、これの下部において、第１のロアー部材１２のリブ３４上にフレーム１１の側壁１６、１７の一部の下端縁および隔壁２１の下端縁が密接することで塞がれ、上部においてはアッパカバー１５の側壁４３、４４の一部の下端縁および隔壁４９の下端縁がフレーム１１における側壁の一部の上端縁および隔壁２１の上端縁に密接させることで塞がれる。
【００３３】
従って、ユニット収納室２０内はこのユニット収納室２０を除くフレーム１１の内外から熱的に遮断された空間となり、電子制御ユニットが収容されるユニット収納室２０と、この電子制御ユニットに接続されるコネクタ付き電線が収容されるフレーム１１内との間の熱移動が規制される。
【００３４】
なお、電気接続箱Ａは、電線をコネクタ収納室２０を除くフレーム１１内に前記ベース部材１４とともに収容し、これらの電線の端部およびこの端部に取り付けられたコネクタは、第１のロアー部材１２の切欠３５およびフレーム１１内の隔壁２１に設けられた切欠２４を介して前記ユニット収納室２０内に挿入される。この収納室２０内に収容されたコネクタは、自動車メーカ側が用意する電子制御ユニットの端子に嵌合される。この後、この電子制御ユニットはそのユニット収納室内に収容される。
【００３５】
ところで、電気接続箱Ａにおけるフレーム１１のユニット収納室２０内に、自動車メーカが用意した電子制御ユニット６３を収納する手順は、図１７（ａ）〜図１７（ｃ）に示す通りである。まず、前記切欠２４および切欠３５を介してユニット収納室２０内に挿入されたコネクタ６１付きの電線（ハーネス）６２を、図１７（ａ）に示すように、このユニット収納室２０の上方開口部側から指や治具を挿し入れて引き上げ、用意した電子制御ユニット６３の端子（図示しない）に装着（嵌合）する。
【００３６】
そして、これらのコネクタ６１および電子制御ユニット６３側の端子との嵌合を確実に行った後は、図１７（ｂ）に示すように、電線６２を第１のロアー部材１２およびユニット収納室２０内において略Ｕ字状に屈曲させながら、電子制御ユニット６３をユニット収納室２０内に押し込んでいく。さらに、この押し込み操作を、電子制御ユニット６３の上面がユニット収納室２０の開口部付近に沈むまで行う。この後、ユニット収納室２０を除くフレーム１１の内部に配置された多数の電線とこれらの電線の上に前述のように配置されるベース部材１４の上方から、アッパカバー１５をフレーム１１上に被せる。
【００３７】
これによって自動車に搭載可能な電気接続箱Ａが形成される。ところが、前記電子制御ユニット６３の各端子に対する各コネクタ６１の接続（嵌合）操作は、例えば一方の手で電子制御ユニット６３を支え、もう一方の手で、重力によってユニット収納室２０内への引き込み力が作用している電線６２端のコネクタ６１を強く掴んで行う必要があり、この接続作業が面倒である。
【００３８】
電子制御ユニットの前記保持状態にあっては、この電子制御ユニット６３を支える手が空くか、あるいはその手を軽く電子制御ユニットに添えるだけで、ユニット収納室２０の底部付近にある電線６２およびコネクタ６１をユニット収納室２０の開口部に引き上げながら、電子制御ユニット６３の前記端子に容易に嵌合することができる。このように電子制御ユニット６３に対する全ての電線の接続作業を終了した後は、コネクタが接続された前記端子側を下方に向けた状態で電子制御ユニット６３をユニット収納室２０内に、図１７（ｃ）に示すように収納する。これにより、自動車メーカによる電子制御ユニット６３のユニット収納室内への収納作業が効率化する。
【００３９】
ところで、コネクタ６１および電線６２は、前記電子制御ユニット６３の端子に接続する直前までは、これらの重力によってユニット収納室２０の底部付近に位置している。このため、コネクタ６１を電子制御ユニット６３の端子に接続する際には、このユニット収納室２０内からその底部付近にあるいずれかのコネクタ６１を摘んでユニット収納室２０の開口部上方に引き上げ、その状態を維持しなければ、このコネクタ６１を電子制御ユニット６３の端子に接続する際に、前記コネクタ６１とともに引き上げられた他のコネクタが前記重力によってユニット収納室２０の底部に落下してしまう。この場合には、この落下したコネクタ６１を前記端子に接続する場合に、ユニット収納室２０内に沈んだコネクタ６１をこれに繋がる電線とともに再び摘んで引き上げなければならず、この作業の繰り返しが極めて面倒である。
【００４０】
そこで、本実施形態では、ユニット収納室２０内から一旦引き上げた複数のコネクタ６１付きの電線６２をバンド６４で一纏めにして括り、掛止部としての掛止ピン（突起）２５にこのバンド６４を係止する。図１８は、そのフレーム１１における側壁１８の外側面に掛止部としての掛止ピン２５を突設したものを示す。この掛止ピン２５は、フレーム１１の成形時に、このフレーム１１と同一の材料で側壁１８の表面に一体に突設したり、この側壁１８に対してステンレスなどの短めの金属棒を基部のみが埋設されるように設立したり、あるいは側壁１８の内側からこの側壁１８内にねじ込んだネジ軸を外側に突出させることによって設立される。また、バンド６４は、伸縮自在なゴム製のものである。ここでは複数本の電線６２をコネクタ６１の首部付近で一纏めにして括った上で、バンド６４を掛止ピン２５に引っ掛けておく。バンド６４には、長手方向に沿って複数個の丸孔（或いは、矩形状のスリットや切り目）が所定の間隔で設けられている。バンド６４を掛止ピン２５に引っ掛けるにあたっては、複数本の電線６２を一纏めにして括った後、バンド６４が交差する箇所において対面する二つの丸孔を掛止ピンによって貫通させる。そして、ユニット収納室２０に電子制御ユニット６３を収容するときに、バンド６４を緩めるなどして必要な電線６２を分離し、残りの電線６２をバンド６４によって括った状態で掛止ピン２５に引っ掛けたまま、分離した電線６２のコネクタ６１を電子制御ユニット６３の底面に露出している前記端子に接続する。こうして、このコネクタ６１の前記端子に対する接続作業を容易、迅速に実施できる。この結果、自動車メーカ等による電子制御ユニット６３の端子に対する複数のコネクタ６１の接続作業を効率化できる。なお、前記バンド６４としてゴムバンドや、マジックテープ（登録商標）と呼ばれる面ファスナや、樹脂製の結着バンドなど、汎用の接続用バンドを用いることができる。
【００４１】
尚、上述では、掛止部である掛止ピン２５を収容口寄りの側壁１８の上部に設立した場合を示しているが、側壁１８の外側面のいずれの部位であってもよく、さらに側壁１６、１７の外側面の一部に設立してもよい。
【００４２】
図１８では、フレーム１１の側壁１８に形成された掛止ピン２５にバンド６４を係止して、電線６２をユニット収納室２０の開口部付近に保持する場合について述べたが、この掛止ピン２５以外の、前記側壁１７の外側面や前記ユニット収納室２０を囲む周囲の部材に設けた掛止部にバンド６４を係止させることによっても、前記同様に電線６２をユニット収納室２０の開口部付近に保持させることができる。例えば、前記ユニット収納室２０を囲むように前記フレーム１１上に被せられるアッパカバー１５の側壁４４の外側面に、突起や鉤状部を掛止部として設け、この突起や鉤状部に複数本の電線６２を纏めて括った前記バンド６４の一部を係止させるようにしてもよい。以下、掛止部を形成したフレーム１１の具体例について説明する。
【００４３】
図１９は、そのフレーム１１における側壁１７の外側面に掛止部としての溝７１を穿設したものを示す。溝７１は、電子制御ユニット６３がユニット収納室２０に収容される方向に側壁１７の一部を穿った溝である。
【００４４】
この場合においても、ユニット収納室２０内から引き上げた複数のコネクタ６１付きの電線６２を、前記同様にバンド６４で一纏めにして括り、前記側壁１７外側面の溝７１にそのバンド６４の一部を引っ掛ける。そして、前記電子制御ユニット６３の端子に対応する前記コネクタ６１を接続する場合には、そのいずれかの電線６２を、バンド６４から一時的に解いて他とは分離する。そしてこの分離した電線６２端のコネクタ６１を電子制御ユニット６３の対応する端子に接続する。
【００４５】
また、前記のように分離した電線６２以外の他の電線６２は、バンド６４によって纏められて括られ、溝７１に係止される。このためこれらの電線６２端のコネクタ６１はユニット収納室２０の開口部上に臨み、このユニット収納室２０内に引き戻されることはない。従って、作業者は、再びバンド６４を一時的に解いて、さらに別の電線６２を隣り合う他の電線６２とは分離して、この電線６２端のコネクタ６１を電子制御ユニット６３下面の対応する別の端子に接続する。この場合にも、分離した電線６２以外の他の電線６２は、バンド６４によって纏められて括り付けられ、溝７１に係止される。このためこれらの電線６２端のコネクタ６１はユニット収納室２０の開口部上に臨み、このユニット収納室２０内に引き戻されることはない。
【００４６】
このようにして、溝７１に係止されたバンド６４によって括られた全ての電線６２のコネクタ６１は、電子制御ユニット６３の各端子に順次接続（嵌合）することができる。この場合に、各電線６２のコネクタ６１を電子制御ユニット６３の端子に接続する際に、ユニット収納室２０内から上方に引き上げた電線６２が、再びユニット収納室２０内に引き戻されないように一方の手で支えるという、従来のような煩わしい作業がなくなる。このため、各コネクタ６１と電子制御ユニット６３の端子との接続作業が効率化される。
【００４７】
図２０は、フレーム１１の側壁１７の外側面に、掛止部としての略Ｌ字状をなす鉤状ピン７２を設けたものを示す。この鉤状ピン７２は、複数本の電線を纏めて括った前記バンド６４の一部を引っ掛けることで、このバンド６４が鉤状ピン７２からさらに脱落し難くするとともに、このバンド６４を安定保持する。この鉤状ピン７２は、フレーム１１と同一の材料で側壁１７の表面に一体に突設したり、この側壁１７に対してステンレスなどの短めの金属棒を基部のみが埋設されるように設立したり、あるいは側壁１７の内側からこの側壁１７内にねじ込んだネジ軸を外側に向けて突出させ、その先端を折り曲げること等によって設立される。
【００４８】
この場合においても、ユニット収納室２０内から引き上げた複数のコネクタ６１付きの電線６２を、前記同様にバンド６４で一纏めにして括り、前記側壁１７外側面の鉤状ピン７２にそのバンド６４の一部を引っ掛けるとともに、その鉤状ピン７２の先端部から屈曲部を介してさらに基部付近へ係止、保持させることができる。これによりバンド６４は、少々の外力を受けてもＬ字状の屈曲部を介して簡単に外れることはない。この場合において、前記鉤状ピン７２の屈曲部の屈曲方向はバンド６４の抜け難さを考慮して適当に決められる。そして、電子制御ユニット６３の端子に対する前記コネクタ６１の接続作業は、前述のようにストレートの前記掛止ピン２５を用いた場合と同様にして、コネクタ６１ごとに実施される。
【００４９】
図２１は、掛止部としてのＬ字状の鉤状ピン（突起）７３を、前記アッパカバー１５に設けたものを示す。このアッパカバー１５は、前述のように、ユニット収納室２０を囲むようにフレーム１１上に被せられるものであり、電子制御ユニット６３をユニット収納室２０内に収納する場合には、フレーム１１の上部から一旦外される。そして外されたアッパカバー１５は、そのフレーム１１上であって、ユニット収納室２０の開口部付近を除く部位に寄り掛かるようにして設置される。
【００５０】
そこで、鉤状ピン７３に、複数本の電線６２を纏めて括り付けた前記バンド６４の一部を引っ掛ける。この鉤状ピン７３は、フレーム１１と同一の材料で側壁４４の表面に一体に突設したり、この側壁４４に対してステンレスなどの短めの金属棒を基部のみが埋設されるように設立したり、あるいは側壁４４の内側からこの側壁４４内にねじ込んだネジ軸をその鉤状ピン７３にねじ込んだりすることによって設立される。
【００５１】
この場合においても、ユニット収納室２０内から引き上げた複数のコネクタ６１付きの電線６２を、前記同様にバンド６４で一纏めにして括り、側壁４４上の前記鉤状ピン７３にそのバンド６４の一部を引っ掛ける。そして、さらにバンド６４を、その鉤状ピン７３の先端部から屈曲部を介してさらに基部付近へ案内して係止、保持させる。これによりバンド６４は、少々の外力が作用してもＬ字状に屈曲する鉤状ピン７３から簡単に外れることはない。そして、電子制御ユニット６３の端子に対する前記コネクタ６１の接続は、前述の溝７１や鉤状ピン７２を用いた場合と同様にして実施される。
【００５２】
また、本実施の形態では、ロアー部材を第１のロアー部材１２と第２のロアー部材１３との２分割構成として、第１のロアー部材１２はフレーム１１内のユニット収納室２０内に通じて、このユニット収納室２０を除くフレーム１１内および第２のロアー部材１３内に対して遮断した空間を形成している。従って、ユニット収納室２０の内部を外部から熱的に遮蔽または分離でき、さらに防水性とロアー部材の強度を必然的に高めることができる。この結果、このユニット収納室２０内に収容される電子制御ユニットの動作の安定性、信頼性を確保することができる。また、フレーム１１に第１のロアー部材１２を装着した場合に、フレーム１１内の隔壁２１の下端縁が第１のロアー部材１２の側壁３３と起立片３４ａとの間のリブ３４上に支持される。このため、その隔壁２１の安定的な支持並びに水平方向への撓みを規制できるメリットがある。
【００５３】
さらに、アッパカバー１５の側壁４３〜４６の内側面には、天部４２から同一距離の部位に段部４７が環状に形成され、この段部４７がフレーム１１の各側壁１６〜１９の上縁に支承される構成を持つ。このため、アッパカバー１５はフレーム１１に対して一部が水平方向に重なるようにして安定的に装着される。
【００５４】
加えて、アッパカバー１５には側壁４４とともに矩形の空間を画成する略コ字条の隔壁４９が形成されている。このため、フレーム１１にアッパカバー１５を被せたときフレーム１１側の隔壁２１の上端縁に隔壁４９の下端縁が密接し、隔壁４９は天部４２とともにフレーム１１内のユニット収納室２０内を上部から密閉する空間を形成する。この結果、ユニット収納室２０内をこれの外部から熱的に遮蔽するとともに、その隔壁４９が天部４２を補強し、不用意に撓む（凹む）ことを回避できる。
【００５５】
以上のように、本実施形態では、電子制御ユニット６３が収容されるユニット収納室２０を有する収納箱Ａにおいて、ユニット収納室２０の内側を通過し、前記電子制御ユニット６３を収容する際の入り口となる収容口から引き出された電線６２、または該電線６２の一端に接続されたコネクタ６１を引っ掛ける掛止部２５を備えることで、コネクタ６１を電子制御ユニット６３の端子に嵌め込む際、電線６２またはコネクタ６１を簡単に手に取ることができる。従って、前記嵌め込みおよび電子制御ユニット６３のユニット収納室２０内に設置のための作業負担が軽減される。
【００５６】
この場合において、掛止部２５がユニット収納室２０を画成する側壁１７に形成されることで、ユニット収納室２０とコネクタ６１との距離が短くなるため作業の負担が軽減され、前記掛止部２５がユニット収納室２０を囲む周囲の部材に形成されることで、掛止部２５を配置する位置に関し、設計上の自由度が高まる。また、掛止部２５がユニット収納室２０を画成する側壁１７の外側面に形成されることで、コネクタ６１を電子制御ユニット６３の端子に嵌め込む際、電線６２またはコネクタ６１を簡単に手に取り易く、且つ、ユニット収納室２０とコネクタ６１との距離を最短にできる。さらに、掛止部が前記ユニット収納室２０を画成する側壁１７から外側に向かって突設された掛止ピン２５などの突起とすることで、掛止部２５を設けるための設計変更が軽微で済み、その掛止ピン（突起）２５には、前記電線６２を束ねるバンド６４の一部が引っ掛けられるようにすることで、掛止部への引っ掛かりが不用意に解けてしまうことを防止することができる。
【符号の説明】
【００５７】
Ａ  電気接続箱
１１  フレーム（収納箱）
１１ａ  被係止部
１１ｂ  係止部
１２  第１のロアー部材
１２ａ  係止突起
１２ｂ  被係止部
１３  第２のロアー部材
１３ａ  係止突起
１３ｂ  係止突起
１４  ベース部材
１４ａ  係止突起（被係止部）
１５  アッパカバー
１５ａ  係止突起
１６、１７、１８、１９  側壁
２０  ユニット収納室
２１  隔壁
２１ａ  係止部
２２  切欠
２４  切欠
２５  掛止部（掛止ピン）
２６  リブ
２７、２８  コネクタ収納枠
２９  底部
３０、３１、３２、３３  側壁
３４  リブ
３５  切欠
３６  補強リブ
３７、３８、４０  側壁
３９  開口
４１  底部  
４２  天部
４３、４４、４５、４６  側壁
４７  段部
４８  延長壁
４９  隔壁
５０  補強リブ
６１  コネクタ
６２  電線（ハーネス）
６３  電子制御ユニット
６４  バンド  
７１  掛止部（溝）
７２、７３  掛止部（鉤状ピン）
【図１】
0005846750.tif 000002
【図２】
0005846750.tif 000003
【図３】
0005846750.tif 000004
【図４】
0005846750.tif 000005
【図５】
0005846750.tif 000006
【図６】
0005846750.tif 000007
【図７】
0005846750.tif 000008
【図８】
0005846750.tif 000009
【図９】
0005846750.tif 000010
【図１０】
0005846750.tif 000011
【図１１】
0005846750.tif 000012
【図１２】
0005846750.tif 000013
【図１３】
0005846750.tif 000014
【図１４】
0005846750.tif 000015
【図１５】
0005846750.tif 000016
【図１６】
0005846750.tif 000017
【図１７】
0005846750.tif 000018
【図１８】
0005846750.tif 000019
【図１９】
0005846750.tif 000020
【図２０】
0005846750.tif 000021
【図２１】
0005846750.tif 000022